【手続補正書】
【提出日】平成15年7月31日(2003.7.31)
【手続補正１】
【補正対象書類名】明細書
【補正対象項目名】全文
【補正方法】変更
【補正の内容】
【発明の名称】透明シート素材で曲面部と平面部の２面との間に空間を保有した半円体をつくる事により立体感が表現出来るＰＯＰ掲示方法、又は、素材の持つ曲面張力応用をした掲示装置及びその製造方法。
【特許請求の範囲】
【請求項１】透明表曲面部（１、）と、平背面部（２、）との間に空間部を配し、蝶板機能部（３、）で繋ぎ、着脱固定部（５、６、）にて開閉できる。広告立体構造により、空間部を活かして立体感表現を可能にした視覚活用構造、また、多葉枚数の［図９］透明フイルム等を使用のポスター構成部（８、９、１０、１１、１２、）に、それぞれのフイルム間に適当空間を置き、立体感を表現出来る空間を保有した掲示方法。及びその製造方法。
【請求項２】フイルムや紙等シートの素材の持つ曲面張力や反発力を応用した事による強力な曲面張力活用のスタンド法［図１６］［図１７］［図１８］［図１９］［図２０］［図２１］による、シートの素材の性質応用による［図２５］自力で立ち上がる曲面張力応用法また、２又は３方向に加圧補助具による広告掲載方法及びその製造方法。
【請求項３】［図１０］請求項１の構造に透明フイルム・シートの活用による、前曲面部と、［図１１］視点を逆にした構造で平背面部を前面透明フイルムとして活用し後曲面部の表現加工、さらに、［図８］の普通発想ではあるが箱形平面だけの立体感にも応用可、透明フイルムそれぞれのフイルム間に適当空間を置き、立体感を表現する空間を保有した掲示方法。及びその製造方法。
【請求項４】請求項１の上下に、天蓋・底蓋部（１８、１９、）の２面を配し、同様に蝶板機能部（３、）を介し、天蓋部（１８、）底蓋部（ｌ９、）構造により曲面張力によりしっかり縁取った蓋が安定をはかる、又は、曲面部（１、）と平面部（２、）との空間を天蓋・底蓋部（１８、１９、）等により、立体感表現の安定装置並びに補助具を有した掲示方法。及びその製造方法。
【発明の詳細な説明】
【０００１】
［産業上の利用分野］
本発明は、商工業や飲食業をはじめ公共事業等のありとあらゆる宣伝広告や伝達方法等の必要時に用いる半既製の繁盛促進広告用品です。また、この立体感でおもしろ玩具や子供の創作教材等にも利用出来る。主に繁盛促進用品業並びに宣伝広告業等が商業、飲食業、その他の企業の広告、宣伝分野の促進活性化をするのに利用するが。表現を自由自在にした方法で、イベントやお土産品等としての活用法並びに透明シート素材の曲面部と平面部との間の空間を保有した立体掲示方法構造、又は素材の持つ曲面張力や反発力を応用した活用スタンド掲示装置及びその製造方法に関する。
【０００２】
［従来の技術］
従来の既製ポスターは、大売り出し、セール、売り尽くし、等などのイベント名を紙に印刷しただけのものか、最新とされているハーフメイド既製ポスターでも、追加文言の書き消し出来るポスターで、紙等に印刷したポスターの上にポリエステル・フイルム等を、ラミネート加工等して、ホワイトボード用マーカーで書き消し出来る様加工し使用されている。もっとも、当方の発明ではあるが。ハーフメイド既製ポスターとして個々のユーザーが購入後ホワイトボード用マーカーで追加文言を記入することで、オリジナル・ポスターに仕上げていた。しかし、追加文言等の変更のみの記入だけのため、ポスター全体のイメージは変わらず、背景の色、イラスト追加等の変更は不可とされていた。そのため、どの店でも同一ポスターに見える弱点があり、より強い個性を表現するオリジナル・ポスターには表現に限界を感じていた。
【０００３】
［発明が解決しようとする課題］
今の課題は商業界の繁盛促進広告に的を絞っての解決しようとしている。ハーフメイド既製品ポスターに個性化が出来る、工夫一つで、オリジナル・ポスター以上の存在価値を実現させること。
【０００４】
ポスターのバックの色替え等が出来ないか、立体感を創り出せないか、もっと安価に面白い視覚効果を造り出せないか。電力などに頼らない３Ｄ効果がだせ、奥行きを感じ、不思議な立体感を体験させる事が出来はずだ。
【０００５】
立体物まで取り込める空間で、立体ポスターも実在感や迫力感を持たせられる。空間には、独特の距離感と言う錯角現象を活用出来ないか、二次元と三次元の中間にその錯角現象が存在する。立体物挿入でペーパークラフト、粘土細工、パッチワーク、押し花等の、立体感を感じるのは、誰も驚かないが、錯角現象が面白くするはずだ。
【０００６】
ここで、誰にでもハーフメイド既製ポスターのデザイン・セッテイングが簡単で素早く出来、しかも個性的で奇麗にイベント・フィーリングに合った、ユニークでしかも装飾効果を上げるものが必要だ、誰が見ても新しい、素敵だと感じることが必要である。
【０００７】
商業用ポスター等では、屋外向けポスターも考慮に入れ、雨天にも強く、しかも装飾効果を上げる、夜間広告も可能にならなくては広告の面白みは半減だ、光源を利用する方法があろう。ここで言う光源は、３Ｄ映画等の映像処理ではなく、ただものを見るだけの電飾看板程度の原始的な安価なもの、夜でも小さな店にでも、立体電飾ポスターが使えるであろう。
【０００８】
立体大型Ｐ０Ｐや細長のプライスでも、自由自在で、文言等の変更作業時間は素早く簡単に出来ること、便利でユニークで、人目を引くおもしろさを持った物で、客をもてなす心を探す事は商売人の永遠の課題であろう。
【０００９】
［課題を解決するための手段］
上記を解決するために、ハーフメイド既製ポスターは、プロの企画宣伝スタッフの目から見てどうなのかを、しっかり見た上で、予め想定される繁盛販促等のイベント企画をし分析して、その中から必要な文言やタイトルロゴ・イメージ、色彩個々の目的に叶ったおもしろさ等を抽出して、各ユーザーの個性生かすには何が必要で、それを解決する必要事項の発見しどうあるべきか、どうすれば他店と同じイメージにならずに、同じハーフメイド既製ポスターを購入してもそれぞれの個性化が計れるか。それを解決しなければ問題の解決にならない。まず表現を分析し、本質を抽出し、企画構成したポスターを造り出す、例えば、タイトルの部分と記入事項の部分とを選別し、各店各店の独自性の部分は購入後に、表現挿入もしくは記入する部分が違う、その部分を透明部として余白のままのハーフメイド既製ポスターとして製品化する。購入者が後で、背景の色や形、挿入写真やイラスト等の加え入れ、完成させる。タイトルロゴなど大きく印刷された部分をプロがを加工して、ハーフメイド既製ポスターとして仕上げたものとする。
【００１０】
個々のユーザーは、その見事なタイトルロゴのハーフメイド既製ポスターを購入して、予め決められた所に、例えば、当店の自慢の料理の写真を引き伸ばして挿んだり、市販パリの景色のカレンダーの写真を切り抜き、好きなイラストと合成したり、思いのままに独自のポスターを、お店の販売促進メッセージを書き入れて、イメージに合った広告ポスターを完成することが出来る。
【００１１】
この挿入作業を円滑にするのに、曲面張力を応用し丸みを帯びた形の曲面を活用すると良い、例えば、紙ポスター等を挿入時に、弛みなどが起り難い曲面張力が後部均等圧が掛かる様に自然にバックアップする弓なる様作られている。仕上がりがユニークな形で好感を持たれるので、お店は人目を引くのである。
【００１２】
なお、  商業用ポスター等では、屋外向けポスターも考慮に入れ、雨天にも強く、しかも装飾効果を上げる額や、夜間広告も可能にならなくては広告の面白みは半減だ、光源を利用する方法があり、立体電飾ポスターとして安価で効果をあげる。
【００１３】
［作用］
上記のように構成された、ハーフメイド既製ポスターは、全く新しい手法を提供出来るものである。繁盛戦略・イベント企画・デザイン等に詳しくなく、購入者がアマチュアであっても、お店に合ったカラーやイメージが洗練された、独自の感性表現を完成させる事が出来る様にシステム化されたポスターです。誰にでも、簡単に優れた広告が出来ます。いろいろな企画アイデアで、いろんな素材を生かし易く工夫されてます。個々お店に一流のデザイナーを雇ってるみたい。いや、実際にブランド・デザイナー達の作なのです。自信を持って繁盛支援になると確信します。後は、お店の人の笑顔だけです。
【００１４】
［実施例］
実施例について図面を参照して説明すると、［図１］は、本発明の基本的な形を表したものの一つです。表曲面部（１、）に透明フイルムによるカバー部、または表現したいポスターそのものをラミネート加工した部分と、フイルム板・樹脂板・金属板・合板等の平背面部（２、）には壁面取付部（４、）又は、バックの背景色等設置にも使用できる。蝶板機能部（３、）は、テープ貼付などで開閉を自由に着脱固定部（５、６、）で固定する。この着脱固定部には、着脱テープを初め、磁石・マジックテープ・凹凸のホック・チャック・その他色々の方法が用いられる。［図２］に示すように、着脱固定部を開放すると平面状態になるので広告添付作業がしやすいし、運送、梱包など商品流通コストも経費節減が計れる。
【００１５】
［図３］の（Ａ）はの蝶板機能部（３、）をテープ等で加工した例、（Ｂ）は、の折曲蝶板機能部（３、）は一枚もののフイルム板等をトムソン加工等によるかその部分だけ軟質樹との接合等による蝶板機能部（３、）を加工した例である。［図４］は、着脱固定部で固定した部を所で［図１］の真上から見た平面図である。
【００１６】
［図５］は、［図１］の表曲面部（１、）を必要多葉枚に増やし透明フイルムを設けたポスター構成部（８、９、１０、１１、）と平背面部（１２、）の斜視展開図」。立体感表現上に力を発揮する重要な部分です。この部分は［図３３］のポスター構成（Ｑ）（Ｒ）（Ｓ）（Ｔ）（Ｕ）にそれぞれ分版の実例で詳細に説明する。
【００１７】
［図５］それぞれポスター構成（８、９、１０、１１、１２、）に、［図３３］（Ｑ）（Ｒ）（Ｓ）（Ｔ）（Ｕ）貼付けます。即ち、表カバー部（４７。）を兼ます、常に変わらない頁なので店名等は刷り込む事もあり。透明フイルムにイベント（タイトルロゴ）等（４２、）の色彩を目立つように印刷し、透明フイルムに白ベタ等のフワーとボカシ、マスキング部（Ｓ）（４８、）を作って置くと、バックのいらない写真部のを隠したり、フィーリングをソフトにしたり出来ます。透明フイルムに、お店の料理（Ｔ）などを切り抜いて貼付けます。透明フイルムを使うので、まだまだ奥が透けて見えます。ここには水面の奇麗な波紋など（Ｕ）や輝き川面の写真など紙ポスターなどを貼ります。この部分は他の前４枚と違って１枚だけ離れてますので、人間の目のはその距離感を見逃しません。ですから料理（Ｔ）などが飛び出して見えるわけます。重ね合わせた仕上がりは、［図３５］に、完成例、５枚合成で示しました。
【００１８】
［図３１］通常は（Ｎ）（０）（Ｐ）の３枚合成を使います。［図１］の基本形に透明フイルム部を１枚プラスしただけのシンプルのものです。［図９］で言うと（８、１０、ｌ２、）の様に３枚ものです。［図３４］はその完成例、３枚合成でも立体感は充分感じられ面白さは変わりません。安価で済みます。
【００１９】
［図３２］は個々のお店により変わる記入文言例（４６、）自由に［図３１］では（Ｏ）に、又は［図３３］では（Ｒ）（Ｓ）に記入文言を入れても良い、前面の（Ｑ）や（Ｎ）などでは、手書きや手貼りだと、イタズラで消されたり剥ぎ取られることも有るからである。
【００２０】
［図６］は必要多葉枚の透明フイルム・ポスターの断面図、ポスター構成（８、９、１０、１１、）までの多葉枚透明・曲面フイルム側とポスター構成（１２、）の平面側（２、）がの着脱固定部（５、６、）の合体接合により、左右の大きな圧力方向（１３、）が掛かり小さな矢印の部分に張力が産まれ、ここでは多葉枚の曲面透明フイルムが隙間なくピッタリ圧着する。これより、挿み込んだ写真や文言等を密着させることが出来る、また、吸着素材でも良いが、セッティングが可能で効果も上がる。
【００２１】
［図７］は［図６］の多葉枚の透明フイルム・ポスターの位置を丁度逆にしたポスターの平面図。ポスター構成の多葉枚透明フイルム側が平面側（９、１０、１１、１２、）で、ポスター構成（８、）が曲背面側になる。着脱固定部（５、６、）による固定合体で、圧力方向（１３、）に曲面張力が産まれる。ここでは多葉枚の透明フイルムが平面側で引き延す力を活用する。これより曲面側の反発力により、透明フイルム面に挿み込むことが出来る。
【００２２】
［図８］は多葉枚の透明フイルム・平面ポスターを包み込む様に箱形に組んだもの、空間を無くせば、差替え、即時即行自由自在変更型専門の平面ポスターとして魅力を発揮する。また、立体感には空間を積極的に設ければ、箱形側面部（１４、）に固着部（７、）の位置により立体ポスターが可能である。ポスター構成（８、９、１０、１１、１２、）までの多葉枚の透明フイルム・ポスターを着脱固定部（５、６、）の合体により完成する。ミスが起りにくい、展示スペースが少なくて済み困らない、持ち運び便利、丈夫で壊れにくいと言う、沢山の利点がある。
【００２３】
［図９］は多葉枚の透明フイルム使用のポスターの平面図。ポスター構成（８、９、１０、１１、）までの多葉枚のフイルム・曲面側とポスター構成（１２、）の平面側がの着脱固定部（５、６、）の合体により、固定により曲面張力が産まれ、その曲面張力がそれぞれの構成部分に働いて、実に様々な視覚効果を期待出来る逸品である。ここでは多葉枚の透明フイルム・構成部が（８、９、１０、１１、１２、）とそれぞれの間に、均等または、ランダムに距離を持って存在するところに価値が出ます。その方法は、それぞれフイルム構成部（８、９、１０、１１、１２、）の幅の違いから生じます。それぞれの距離が立体感をリアルに作る要素になり、よりリアルな表現を実現します。例えば、森を表現しようとする時、一本、一本の木々の位置を、それぞれのフイルムに配分すれば、森林の奥まった感覚が表現できます。それだけ立体ビジュアル化し易い事になります。
【００２４】
［図１０］はの曲面部、透明フイルム面（１、）にタイトル文言印刷例（１７、）刷り込み面と、平面部、作品貼付例（２、）との間の空間を活用した作品の立体構造物部（１６、）からなる。表面の滑らかな透明フイルム曲面が新鮮である。
【００２５】
［図１１］は［図１０］の丁度裏表逆の使用方になる。平面部、透明フイルム面（２、）にタイトル文言印刷例（１７、）と、曲面部、作品貼付例（１、）との間の空間を活用した作品の立体構造物部（１６、）からなる。表面は平だが奥面のワイドな広がりを感じさせる曲面が視覚を広げる壮大感が特長、また、ペーパークラフトの様な曲面を作る上で、立ち上がり等が作りやすい物もある。
【００２６】
［図１２］は、［図１１］の斜から見た図。作品の立体感を表現した斜視図。
【００２７】
［図１３］の［図１］の基本型のに、天・底蓋部（１８、１９、）を用いると形が堅牢になり風雨に強い屋外如も可能となる。
【００２８】
［図１４］と［図１５］は、同一の着脱蓋付装飾額である。［図１４］はポスター部［図１］をセットした時の形状表現の装飾額部。［図１５］は、天・底蓋部を開放した図。ポスター部の取替が便利、壁面取付板（２０、）に蝶板機能部（３、）を介して、天・底蓋部（１８、１９、）を配し、額縁面部（２１、）を有する。全天候型の屋内外用装飾額の一例である。
【００２９】
［図１６］の、従来のＰ０Ｐカード（２３、）は、従来のＰ０Ｐスタンド（２４、）では平らな状態に補強アクリ板等で立てていた。あまり縦長等は立てずに吊るすタイプが主流だった。［図１７］は、Ｐ０Ｐカード（２３、）と、Ｐ０Ｐスタンド（２４、）である。本発明ののＰ０Ｐスタンド（２４、）は左右からの圧力方向により向ってカード巾より狭くなっている。だから、カード底辺部（２６、）が平ではなく曲げ歪んで差し込まれることになる。ここがカードに曲面張力を産ませた部分です。カード天辺部（２５、）に向かって曲面張力は走ります。その力は上に向かって開放される。カード天辺部（２５、）が、ややカーブしているのはまだ余力が有る証拠です。そこで普通なら立たないＡ３サイズのコピー用紙を縦半分に切ったものでも立ちます。［図１８］はその側面図約８０度位傾ける方が良い。。その構造によりＰ０Ｐスタンド（２４、）はとても背の低い物でも立たせる効果があります、即ち、カードの厚みも薄くて済み、利用面積も広がると言うことです。
【００３０】
［図１９］は、本発明のＰ０Ｐスタンド（２４、）にＰ０Ｐカード（２３、）を立て圧力方向にに圧力を掛けるのでカードが曲がり歪んでいる様子を真上から見た平面図である。カード面はＵ字に凹んんだ方向を鈍角に使用し、ややカード天辺を後方に倒す、逆に使うと表示画面が見にくいので広告効果が減る。
【００３１】
［図２０］は、［図１７］のＡ〜Ａ′の切断線よる平面図。カード切断面を表現カードの曲面図。［図２１］（Ｃ）は、挿み棒タイプ（２８、）３本によるシンプルなＰ０Ｐスタンドとカードに掛かる圧力方向。特長は、挿む作業が楽である。（Ｄ）掛止部タイプ（２９、）３本によるシンプルなＰ０Ｐスタンドとカードに掛かる圧力抑え。特長は、角度を決めれる。（Ｅ）曲面挿み板タイプ（３０、）によるシンプルなＰ０Ｐスタンドとカード曲げが自然。特長は、分かりやすく使いやすい。
【００３２】
［図２２］は、（Ｃ）（Ｄ）（Ｅ）のそれぞれＰ０Ｐスタンド完成予想図。［図２３］は、ボックス・タイプは、Ｐ０Ｐスタンド共通素材はプラスチック、や金属、ガラス等による重量のあるＰ０Ｐスタンドが良い。（Ｆ）の曲線穴挟み込み部（３１、）と跳ね止め部（３２、）の角度安定の為。同じくＰ０Ｐスタンド（Ｇ）の曲線穴挟み込み部（３１、）とカード差し込み穴と跳ね止め部（３２、）の角度安定の為である。
【００３３】
［図２４］は、ボックスタイプの（Ｈ）Ｐ０Ｐスタンド（３３、）は折りたたみ可能なタイプの使用例、輸送等に便利。挿み棒タイプ（Ｉ）Ｐ０Ｐスタンド（２８、）は、樹脂、金属、ゴ厶等の使用例、忙しい八百屋、魚屋等の仕事に最適。掛り止タイプ（Ｊ）Ｐ０Ｐスタンド（２９、）は、素材は、プラスチック、木製、樹脂、ガラス、金属等で作る使用例とした。
【００３４】
［図２５］ペットフイルム素材等１５ｃｍ×４２ｃｍ位のプライスカードが（３４、）をＰ０Ｐスタンドに立て、（Ｋ）（Ｌ）（Ｍ）の順で（３４、）倒れたカードが、（３４、）自力で自然に、（３４、）立ち上がる様を表現した。曲面を作ると復元力と言うか、曲面張力と言うかマジック性すら感じる程である。
【００３５】
［図２６］は、カール・プライス（３５、）これは両辺を歪ま無い金属等で括り、左右から均等に加圧すると奇麗な曲面ができる。
【００３６】
［図２７］それと同時に曲面張力が産まれ適度の丈夫さも出来る。［図１］と同じ原理で細長Ｐ０Ｐも可能である、平背面部（２、）を小さくしてもカール止部（３６、）両辺が歪まなければ、［図１］と同じ原理で細長ポスターも加工出来る。
【００３７】
［図２８］［図２７］の加工上の一例の展開図。
【００３８】
［図２９］［図２８］の切断線Ｂ〜Ｂ′の切断により紙ポスター等の挿み部の（３８、）説明の為の断面図。
【００３９】
［図３０］［図１］の後に電飾ボックスを取り付けた事で夜間も表現効果を高める事が出来る斜視図。
【図面の簡単な説明】
【図１】半円体の曲面立体感表現の基本系１例の斜視図。
【図２】その１例の展開図。
【図３】その２側面図。
【図４】図１で空間部保有部の正面図。
【図５】曲面多数枚説明の斜展開視図。
【図６】曲面多数枚の閉じた状態側面図。
【図７】平面多数枚の閉じた状態２例目の側面図。
【図８】箱形平面多数枚の閉じた状態３例目の側面図。
【図９】立体感表現で各透き間を持った曲面多数枚の閉じた状態の側面図。
【図１０】半円体曲面活用の立体物を挿入の立体感表現の斜視図。
【図１１】半円体曲面活用の立体物を挿入の逆視点の立体感表現の斜視図。
【図１２】図１１の空間部保有部の説明上の斜視図。
【図１３】図１の天・底蓋部による、立体物を固定説明上の斜視図。
【図１４】図１３の天・底蓋部を蝶板部でつないだ、立体物を簡単に固定出来る１例の完成斜視図。
【図１５】図１３の天・底蓋部を蝶板部でつないだ、立体物組立を簡単する構造の組立前の展開図。
【図１６】曲面にする事で張力発生を活用した、曲面紙立に活用した本発明のＰＯＰカード立て、活用前の基本系の正面図。
【図１７】図１６のカード立てに左右から圧力を掛けカードを曲げる事で、カードもしくは紙が自然に立つ原理の正面図。
【図１８】図１７の側面図。
【図１９】図１７を真上から見た平面図。
【図２０】図１７のＡ〜Ａ′切断線から切断を真上から見た平面図。
【図２１】カードもしくは紙の曲面を作る原理応用のＰＯＰスタンドの圧力方向と図２０入れて４例の仕組み。
【図２２】図２１原理応用のＰＯＰスタンドの実例３例の斜視図。
【図２３】図２０原理応用のＰＯＰスタンドのボックスタイプ実例２例の斜視図。
【図２４】図２２、図２３、それぞれのＰＯＰスタンドにＰＯＰカードを立てた斜視図。
【図２５】図１７の紙のもしくはＰＯＰカードが自然に立つ原理は、腰の有るペットフイルム等のＰＯＰカードで２６カード天辺を倒しても自然に立ち上がる強力なを表現した原理説明の３連斜視図。
【図２６】ペットフイルム等のＰＯＰカード等に均等に左右から圧力を掛けカールすると自然復帰力が起き、薄いフイルムでも適当に丈夫な物に成りその応用範囲は測り知れない本発明の単純原理の説明斜視図。
【図２７】図２６の原理に３８縁が歪止で天地引合わせれば３７の様に固定部で細長い曲面ポスターが出来る斜視図。
【図２８】図２７をシート状の加工も出来る展開図。
【図２９】図２８のＢ〜Ｂ′切断線から切断の断面図。
【図３０】図１の後部に光源部を配し照明付も可の１例斜視図。
【図３１】図５の８．９．１０ポスター構成部の３枚デザイン（Ｎ）（Ｏ）（Ｐ）の分版想定例図
【図３２】オリジナル記入文言例図。
【図３３】図５の８．９．１０．１１．１２．ポスター構成部の５枚デザイン（Ｑ）（Ｒ）（Ｓ）（Ｔ）（Ｕ）の分版想定例図
【図３４】図３２オリジナル記入文言例と図３１との合成完成図。
【図３５】図３２オリジナル記入文言例と図３３との合成完成図。
【符号の説明】
１、表曲面部
２  平背面部
３、蝶板機能部
４、壁面取付部
５、６、着脱固定部
７、固着部
５、６、着脱固定部
８、９、１０、１１、１２、ポスター構成部
１３、圧力方向（矢印）
１４、箱形側面部
１５、箱形側面蓋部
１６、作品の立体構造物部
１７、タイトル文言印刷部
１８、天蓋部
１９、底蓋部
２０、壁取付板部
２１、額縁面部
２２、額装飾棒部
２３、ＰＯＰカード部
２４、ＰＯＰスタンド部
２５、カード天辺部
２６、カード底辺部
２７、カード断面部
２８、カード立て２点挿み枠部
２９、カード立て３点挿み棒部
３０、カード立て３点挿み枠部
３１、カード曲面挿み板部
３２、カード挿み部
３３、カード挿み跳ね止部
３４、カード立てボックス．タイプ３点挿み枠部
３５、倒れたカードが自力で自然に立ち上がる状態３点行程図部
３６．カールカード部（均等加圧）
３７、加圧力のカール止め部
３８、均等加圧歪み止部
３９、ポスター挿み部
４０、電飾ボックス部
４１、光源部
４２、イベント名部
４３、写真貼付け部
４４、背景部（水面例
４５、透明フイルム部
４６、記入文言例部
４７、表カバー部
４８、トリミング白面部
４９、完成部（３枚合成）
５０、完成部（５枚合成）
Ａ−−−Ａ，    Ｂ−−−Ｂ，切断線
（Ａ）（Ｂ）（Ｃ）〜（Ｕ）同類多品種の分類又は、進行過程の表現等


【手続補正２】
【補正対象書類名】図面
【補正対象項目名】全図
【補正方法】変更
【補正の内容】
【図１】
1998049055.tif 000001
【図２】
1998049055.tif 000002
【図３】
1998049055.tif 000003
【図４】
1998049055.tif 000004
【図５】
1998049055.tif 000005
【図６】
1998049055.tif 000006
【図７】
1998049055.tif 000007
【図８】
1998049055.tif 000008
【図９】
1998049055.tif 000009
【図１０】
1998049055.tif 000010
【図１１】
1998049055.tif 000011
【図１２】
1998049055.tif 000012
【図１３】
1998049055.tif 000013
【図１４】
1998049055.tif 000014
【図１５】
1998049055.tif 000015
【図１６】
1998049055.tif 000016
【図１７】
1998049055.tif 000017
【図１８】
1998049055.tif 000018
【図１９】
1998049055.tif 000019
【図２０】
1998049055.tif 000020
【図２１】
1998049055.tif 000021
【図２２】
1998049055.tif 000022
【図２３】
1998049055.tif 000023
【図２４】
1998049055.tif 000024
【図２５】
1998049055.tif 000025
【図２６】
1998049055.tif 000026
【図２７】
1998049055.tif 000027
【図２８】
1998049055.tif 000028
【図２９】
1998049055.tif 000029
【図３０】
1998049055.tif 000030
【図３１】
1998049055.tif 000031
【図３２】
1998049055.tif 000032
【図３３】
1998049055.tif 000033
【図３４】
1998049055.tif 000034
【図３５】
1998049055.tif 000035